(57)【特許請求の範囲】
【請求項１】
給水源から流入した洗浄水を出口へ正流させる洗浄水流路と、該洗浄水流路内に残溜した洗浄水を排水するため、該洗浄水流路に形成したドレンと、
前記洗浄水流路に内蔵され、該洗浄水流路内の洗浄水が逆流することを防止する逆流防止機能を有する逆流防止手段と、
を備えた洗浄水流路装置において、
前記逆流防止手段を、前記洗浄水流路に内蔵したまま、該逆流防止手段の逆流防止機能を禁止させる禁止手段を備え、
前記逆流防止手段は、前記洗浄水流路を開閉する弁本体と、
前記洗浄水流路を閉する方向に前記弁本体を付勢する第一の付勢部と、を備え、
前記禁止手段は、前記逆流防止手段の自重を利用し、前記逆流防止手段の内蔵位置を移動させる移動部を備えたことを特徴とする洗浄水流路装置。
【請求項２】
給水源から流入した洗浄水を出口へ正流させる洗浄水流路と、該洗浄水流路内に残溜した洗浄水を排水するため、該洗浄水流路に形成したドレンと、
前記洗浄水流路に内蔵され、該洗浄水流路内の洗浄水が逆流することを防止する逆流防止機能を有する逆流防止手段と、
を備えた洗浄水流路装置において、
前記逆流防止手段を、前記洗浄水流路に内蔵したまま、該逆流防止手段の逆流防止機能を禁止させる禁止手段を備え、
前記逆流防止手段は、前記洗浄水流路を開閉する弁本体と、
前記洗浄水流路を閉する方向に前記弁本体を付勢する第一の付勢部と、を備え、
前記禁止手段は、前記逆流防止手段の内蔵位置を移動させる移動部を備え、
前記移動部は、前記第一の付勢部とは逆に、前記洗浄水流路を開する方向に前記逆流防止手段を付勢する第二の付勢部を備えたことを特徴とする洗浄水流路装置。
【発明の詳細な説明】
【０００１】
【発明の属する技術分野】
本発明は、給水源から流入した洗浄水を出口へ正流させる洗浄水流路とそれを用いた局部洗浄装置の改良に関する。
【０００２】
【従来の技術】
従来、給水源から流入した洗浄水を出口へ正流させる洗浄水流路と、該洗浄水流路内に残溜した洗浄水を排水するため、該洗浄水流路に形成したドレンと、該洗浄水流路に内蔵され、該洗浄水流路内の洗浄水が逆流することを防止する逆流防止機能を有する逆流防止手段とを備えた洗浄水流路装置が知られている。
【０００３】
この種の装置は、給水源から流入し、出口へ正流させた洗浄水が給水源へ逆流することを防止できるため、種々の効果を発揮でき、特に局部洗浄装置にも利用されている。
【０００４】
【発明が解決しようとする課題】
ところが、洗浄水流路内に残留した洗浄水をドレンから排出しようとした場合、逆流防止手段が障害となって、逆流防止手段を隔てた給水源側の洗浄水或いは出口側の洗浄水が排水できないという課題があった。
【０００５】
したがって、本発明の目的は、逆流防止手段を隔てた給水側の洗浄水及び出口側の洗浄水を完全に排出することにある。
【０００６】
【課題を解決するための手段】
上記課題を解決するためになされた第一の発明の洗浄水流路装置は、給水源から流入した洗浄水を出口へ正流させる洗浄水流路と、該洗浄水流路内に残溜した洗浄水を排水するため、該洗浄水流路に形成したドレンと、該洗浄水流路に内蔵され、該洗浄水流路内の洗浄水が逆流することを防止する逆流防止機能を有する逆流防止手段と、を備え、更に、前記逆流防止手段を、前記洗浄水流路に内蔵したまま、該逆流防止手段の逆流防止機能を禁止させる禁止手段を備える。
【０００７】
第一の発明の洗浄水流路装置によれば、禁止手段によって逆流防止手段の逆流防止機能を禁止した状態でドレンを操作すると、洗浄水流路（逆流防止手段を隔てた給水側の洗浄水及び出口側）内に残溜した洗浄水を完全に排水することができる。更に、この排水作業を通じて、逆流防止手段は洗浄水流路に内蔵されたままである（すなわち、取り外す必要がない）ため作業自体が単純である。しかも作業中に逆流防止手段を損失することも回避できる。
【０００８】
逆流防止手段の好適な実施の形態としては、前記洗浄水流路を開閉する弁本体と、前記洗浄水流路を閉する方向に前記弁本体を付勢する第一の付勢部と、を備える。
【０００９】
また、前記禁止手段が、前記逆流防止手段の内蔵位置を移動させる移動部を備える場合には、排水作業者の意図に応じて逆流防止機能を禁止できるため、有効である。
【００１０】
また、前記移動部が、前記逆流防止手段の自重を利用し、前記逆流防止手段の内蔵位置を移動させる場合には、移動のための特別な部品は必要ないため、有効である。
【００１１】
また、前記移動部が、前記第一の付勢部とは逆に、前記洗浄水流路を開する方向に前記前記逆流防止手段を付勢する第二の付勢部を備えた場合には、逆流防止手段が洗浄水の表面張力によって洗浄水流路等に付着した場合にも確実に移動できるので、有効である。
【００１２】
前記移動部は、前記逆流防止手段の内蔵位置を移動させる移動力を伝達する伝達部を備えた場合にも逆流防止手段が洗浄水の表面張力によって洗浄水流路等に付着した場合にも確実に移動できるので、有効である。
【００１５】
【発明の実施の形態】
以上説明した本発明の構成を一層明らかにするために、以下本発明の好適な実施形態について説明する。図１は、本発明に係る洗浄水流路装置（給水源、分岐金具、連結ホース、給水アダプタで構成される）を具備した人体局部洗浄装置１００である。
【００１６】
この人体局部洗浄装置１００は、上述した洗浄水流路装置の給水アダプタに連通し、給水した洗浄水を人体局部に吐水する洗浄ノズルと、給水アダプタから洗浄ノズルに至る流路を開閉する電磁弁（図示しない）と、この電磁弁の開閉動作を指示する操作部と、人体が着座する暖房便座と、便ふたと、暖房便座と便ふたを回動自在に支持する装置本体と、電源プラグと、アース線と、を備える。
【００１７】
この人体局部洗浄装置１００は、使用者によって操作部が操作されると、電磁弁を開き、給水源から給水された洗浄水を洗浄ノズルから人体局部に向かって吐水する。その後、再び使用者によって操作部が操作されると、電磁弁を閉じ、人体局部に向かう吐水を停止する。
【００１８】
図２は、給水アダプタの第一の実施の形態の詳細を説明するための断面図である。この給水アダプタは、給水源に連通する入口と、洗浄ノズルに連通する出口と、給水源から給水された洗浄水が逆流することを防止するための逆止弁（流路を開閉するシール材５付きの弁体４と、この弁体４を流路を閉する方向に付勢するばね１と、このばね１を弁体４と対称位置で保持するガイド部材２とから構成される）と、取付けることにより逆止弁を図２の位置に固定すると共に、取り外すことにより逆止弁の固定を解除し、更に洗浄水流路装置内の流路を外部に開放するドレン３とから構成される。
【００１９】
この給水アダプタは、給水源からの給水が停止しているときには、ばね１の付勢力によって弁体４が流路を閉じる。したがって、出口から入口へ洗浄水が逆流することを防止できる。また、給水源からの給水があるときには、ばね１の付勢力に打ち勝って弁体４を流路が開く方向に移動させる。したがって、入口から出口へ洗浄水を通過させることができる。
【００２０】
図３は、給水アダプタの第一の実施形態において、給水源からの給水が停止している状態でドレン３を取り外したときの断面図である。図示するように、ドレン３を取り外すと、逆止弁の固定が解除され、逆止弁は自重により落下し、図示する凸部に係止する。すると、矢印のように逆止弁を隔てた入口側と出口側の洗浄水が排水孔から完全に排水される。本第一の実施の形態では、凸部とドレン３から構成される手段（特許請求の範囲では禁止手段と表現）によって逆止弁の逆流防止機能を禁止させることができるので、洗浄水流路（逆流弁を隔てた給水側の洗浄水及び出口側）内に残溜した洗浄水を完全に排水することができる。また、この排水作業を通じて、逆流弁は給水アダプタに内蔵されたままである（すなわち、取り外す必要がない）ため作業自体が単純である。更に、作業中に逆流弁を損失することも回避できる。しかも、逆止弁の機能を禁止するための特別な部品は必要ないため、有効である。
【００２１】
図４は、給水アダプタの第二の実施の形態（第一の実施形態に係る給水アダプタとの違いは、流路を開く方向に弁体４を付勢するばね６を存在させた点）の詳細を説明するための断面図である。図示の状態において逆止弁は、給水源からの給水が停止している状態ではばね１とばね６（ばね１付勢力＞ばね６の付勢力）のとのバランスにより、逆流防止機能を果たす。今、ドレン３を取り外すと、逆止弁の固定が解除され、逆止弁はばね６の付勢力により強制的に落下する。すると、逆止弁を隔てた入口側と出口側の洗浄水が排水孔から完全に排水される。本第二の実施の形態では、凸部とドレン３とばね６から構成される手段（特許請求の範囲では禁止手段と表現）によって逆止弁の逆流防止機能を禁止させることができるので、洗浄水流路（逆流弁を隔てた給水側の洗浄水及び出口側）内に残溜した洗浄水を完全に排水することができる。また、この排水作業を通じて、逆流弁は給水アダプタに内蔵されたままである（すなわち、取り外す必要がない）ため作業自体が単純である。更に、作業中に逆流弁を損失することも回避できる。しかも、逆流防止手段が洗浄水の表面張力によって洗浄水流路等に付着した場合にも確実に移動できるので、有効である。
【００２２】
図５は、給水アダプタの第三の実施の形態（第一の実施形態に係る給水アダプタとの違いは、ドレン３にガイド部材２と着脱自在に嵌合する突起を設けた点）の詳細を説明するための断面図である。図示の状態において逆止弁は、逆流防止機能を果たす。
【００２３】
図６は、給水アダプタの第三の実施形態において、給水源からの給水が停止している状態でドレン３を取り外したときの断面図である。ドレン３を移動させると、連動して逆止弁の固定が解除され、逆止弁はばね６の付勢力により強制的に落下する。すると、逆止弁を隔てた入口側と出口側の洗浄水が排水孔から完全に排水される。本第三の実施の形態では、凸部とドレン３と突起から構成される手段（特許請求の範囲では禁止手段と表現）によって逆止弁の逆流防止機能を禁止させることができるので、洗浄水流路（逆流弁を隔てた給水側の洗浄水及び出口側）内に残溜した洗浄水を完全に排水することができる。また、この排水作業を通じて、逆流弁は給水アダプタに内蔵されたままである（すなわち、取り外す必要がない）ため作業自体が単純である。更に、作業中に逆流弁を損失することも回避できる。しかも、逆流防止手段が洗浄水の表面張力によって洗浄水流路等に付着した場合にも確実に移動できるので、有効である。
【００２４】
なお、本発明は、上記実施の形態に限られるものではなく、その要旨を逸脱しない範囲において種々の形態において実施することが可能である。
【図面の簡単な説明】
【図１】図１は、本発明に係る洗浄水流路装置を具備した人体局部洗浄装置１００である。
【図２】図２は、給水アダプタの第一の実施の形態の詳細を説明するための断面図である。
【図３】図３は、給水アダプタの第一の実施形態において、給水源からの給水が停止している状態でドレン３を取り外したときの断面図である。
【図４】図４は、給水アダプタの第二の実施の形態の詳細を説明するための断面図である。
【図５】図５は、給水アダプタの第三の実施の形態の詳細を説明するための断面図である。
【図６】図６は、給水アダプタの第三の実施形態において、給水源からの給水が停止している状態ドレン３を取り外したときの断面図である。
【符号の説明】
１…ばね
２…ガイド部材
３…ドレン
４…弁体
５…シール材
６…ばね
１００…人体局部洗浄装置
【図１】
0003601234.tif 000002
【図２】
0003601234.tif 000003
【図３】
0003601234.tif 000004
【図４】
0003601234.tif 000005
【図５】
0003601234.tif 000006
【図６】
0003601234.tif 000007